(57)【要約】【課題】  正規のＩＣタグラベルが偽造ラベルに貼りかえられた場合でも、簡単に不正に貼りかえられたことを確認することができ、更に、ＩＣタグラベルを金属に貼付させて使用する場合でも、金属の影響で通信不能となることを低減化できるようにしたホログラム一体型ＩＣタグラベルを提供する。【解決手段】  上層に透明な保護層を有するホログラムシートと、ベースフィルム上に、ＩＣチップとアンテナコイルとが接続された状態で設けられたインレットと、プラスチックシートよりなる誘電体シートと、可視光を反射する金属層と、が順次積層され、前記ホログラムシートと、前記インレットと、前記誘電体シートと、前記金属層との各層間で接着されてなり、前記金属層の下側に、粘着剤層、剥離用シートが順次積層されている。【選択図】        図１
2009301246.tif 000002
【特許請求の範囲】
【請求項１】
上層に透明な保護層を有するホログラムシートと、
ベースフィルム上に、ＩＣチップとアンテナコイルとが接続された状態で設けられたインレットと、
プラスチックシートよりなる誘電体シートと、
可視光を反射する金属層と、が順次積層され、
前記ホログラムシートと、前記インレットと、前記誘電体シートと、前記金属層との各層間で接着されてなり、
前記金属層の下側に、粘着剤層、剥離用シートが順次積層されていることを特徴とするホログラム一体型ＩＣタグラベル。
【請求項２】
前記金属層は、周波数１００ＫＨｚ以上１０ＧＨｚ以下の電波を反射することを特徴とする請求項１記載のホログラム一体型ＩＣタグラベル。
【請求項３】
前記誘電体の厚みが、０．２ｍｍ以上１０ｍｍ以下であることを特徴とする請求項１記載のホログラム一体型ＩＣタグラベル。
【発明の詳細な説明】
【技術分野】
【０００１】
本発明は、プラスチックフィルム上にＩＣチップとアンテナが接続されたインレットが積層されたホログラム一体型ＩＣタグラベルに関する。
【背景技術】
【０００２】
プラスチックフィルム上にＩＣチップとアンテナが接続されたインレットを有するＩＣタグラベルは、情報管理を行う物品に貼付させた後に、リーダライタを介して所望の情報の書き込みをして記憶させ、また必要に応じて、記憶されている情報の読み取りを繰り返して行えることから、運送や流通、販売管理、工場工程管理、商品の配送や荷物の取り扱いなどの広い分野で利用できるものである。
【０００３】
また、ＩＣタグラベルの利用用途が広がるにつれて、屋外に置かれる物品に貼付させるＩＣタグラベルや、運送中などの雨に濡れる可能性が高い物品に貼付するためのＩＣタグラベルも求められている。
【０００４】
これらのＩＣタグラベルやＩＣタグラベルの製造方法の先行技術としては、特許文献１、特許文献２などがある。
また、ＩＣタグラベルの技術が公開され、ＩＣタグラベルの製造者が増えるに伴って、偽造ラベルが製造され、正規のＩＣタグラベルを偽造ラベルに貼りかえて不正行為が行なわれる危険性も高くなっているという問題があることから、偽造ラベル対策として、ＩＣタグラベルにホログラムを利用することも知られている。（特許文献３、４参照）
【０００５】
また、ＩＣタグラベルを金属に貼付させて使用する場合には、金属の影響で通信不能となるという問題もある。
そのために、シール内に特殊素材による層を積層することで、通信不能を解消させることも考えられるが、金属の影響を低減化させる素材は通常高価であるという問題もありコストの関係からも使用することができにくいという問題がある。
【０００６】
【特許文献１】特開２００７−２６３０２号公報
【特許文献２】特開２００６−３０１９００号公報
【特許文献３】特開２００６−１８４７５号公報
【特許文献４】特開２００６−１３９２３５号公報
【発明の開示】
【発明が解決しようとする課題】
【０００７】
そこで、本発明は、正規のＩＣタグラベルが偽造ラベルに貼りかえられた場合でも、簡単に不正に貼りかえられたことを確認することができ、更に、ＩＣタグラベルを金属に貼付させて使用する場合でも、金属の影響で通信不能となることを低減化できるようにしたホログラム一体型ＩＣタグラベルを提供する。
【課題を解決するための手段】
【０００８】
本発明のホログラム一体型ＩＣタグラベルは、上層に透明な保護層を有するホログラムシートと、ベースフィルム上に、ＩＣチップとアンテナコイルとが接続された状態で設けられたインレットと、プラスチックシートよりなる誘電体シートと、可視光を反射する金属層と、が順次積層され、前記ホログラムシートと、前記インレットと、前記誘電体シートと、前記金属層との各層間で接着されてなり、前記金属層の下側に、粘着剤層、剥離用シートが順次積層されていることを特徴とする。
【０００９】
また、本発明のホログラム一体型ＩＣタグラベルは、前記金属層は、周波数１００ＫＨｚ以上１０ＧＨｚ以下の電波を反射することを特徴とする。
【００１０】
更に、本発明のホログラム一体型ＩＣタグラベルは、前記誘導体の厚みが、０．２ｍｍ以上１０ｍｍ以下であることを特徴とする。
【発明の効果】
【００１１】
本発明のホログラム一体型ＩＣタグラベルは、ホログラムを有するので、正規のＩＣタグラベルが偽造ラベルに貼りかえられた場合でも、目視により簡単に不正に貼りかえられたことを確認することができ、更に、ＩＣタグラベル内に誘電体と金属層とが積層されているので、ＩＣタグラベルを金属に貼付させた場合でも、通信不能となることを低減化できるという効果がある。
【発明を実施するための最良の形態】
【００１２】
以下、本発明の実施形態に係るホログラム一体型ＩＣタグラベルを、図面に基づいて詳細に説明する。
図１には、実施形態に係るホログラム一体型ＩＣタグラベル１であって、帯状の剥離用シート２の上側に複数のＩＣタグラベルが、等間隔で連続して設けられた状態を示す平面図が示されている。
また、図２には、実施形態に係るホログラム一体型ＩＣタラベル１の断面図が示されている。
【００１３】
ホログラム一体型ＩＣタグラベル１は、上側に、透明な保護層であるプラスチックフィルム３が粘着剤層４で接着されたホログラムシート５と、そのホログラムシート５の下側に、ベースフィルム７上にＩＣチップ１１とアンテナ１２とが接続されたインレット１５とが重ねられ、ホログラムシート５の裏面に設けられた第１のホットメルト接着剤層６によりインレット１５が接着され、更に、ベースフィルム７の下側に重ねられた誘電体シート９が、第２のホットメルト接着剤層８により接着され、前記誘電体シート９の下側に金属性シートからなる金属層１３が重ねられて粘着剤層１０により接着され、金属層１３の裏面に設けられた粘着剤層１４により、剥離用シート２が剥離可能な状態で貼付されている。
【００１４】
尚、図２においては、第１のホットメルト接着剤層６と、ベースフィルム７及びアンテナ１２とが離れている状態に示されているが、第１のホットメルト接着剤層６の接着剤が軟化し、その後に硬化されて接着状態となっているので、第１のホットメルト接着剤層６により、透明プラスチックフィルム５がベースフィルム７及びアンテナ１２と接着一体化された構造となっている。
つまり、透明プラスチックフィルム５とベースフィルム７の間は、第１のホットメルト接着剤層６によりＩＣチップ１１とアンテナ１２を密閉状態で保護している。
【００１５】
剥離用シート２は、金属性シートからなる金属層１３の裏面に形成されている粘着剤層１４により、剥離可能に粘着されているので、ホログラム一体型ＩＣタグラベル１の剥離用シート２を剥離させた後に、粘着剤層１４により貼付させたい所望の物品に押し付けることで、ホログラム一体型ＩＣタグラベル１をどこにでも貼付させることができるように構成されている。
【００１６】
ＩＣチップ１１とアンテナ１２とが接続されたインレット１５は、図３に示すように、ベースフィルム７上にアンテナコイル１２を形成し、アンテナコイル１２の両端部１２ａ，１２ｂにＩＣチップ１１が装着されている。
そして、外側に位置するアンテナコイル１２の端部が、ベースフィルム７の裏面に設けられた導通部材１４と接続され、更に導通部材１４の他方の端部が、ＩＣチップ１１に接続するコイルと接続されている。
【００１７】
また、第１のホットメルト接着剤層６と第２のホットメルト接着剤層８に使用されている接着剤は、例えばポリウレタン又はエチレン酢酸ビニル共重合物が使用される。
第１のホットメルト接着剤層６と第２のホットメルト接着剤層８は、加熱することで接着剤が軟化し、その後、硬化することで接着状態となり、接着状態となった場合には水分が浸入できない状態を維持することができるので、インレット１５上に第１のホットメルト接着剤層６でホログラムシート５が接着された場合には、アンテナコイル１２やＩＣチップ１１を防水する効果がある。
【００１８】
金属性シートからなる金属層１３は、周波数１００ＫＨｚ以上１０ＧＨｚ以下の電波を反射する金属層が用いられる。
更に、誘電体シート９の厚みは、０．２ｍｍ以上１０ｍｍ以下の厚みを有している。
【００１９】
図４には、ホログラム一体型ＩＣタグラベル１を所望の物品１６に貼付させた場合の断面図が示されている。
ホログラム一体型ＩＣタグラベル１を所望の物品１６に貼付させる場合には、図４に示すように、金属層１３の裏面に設けられた粘着剤層１４に剥離可能に貼付されている剥離用シート２を剥離させた後に、物品１６の所定部分に粘着剤層１４を押し付けて貼り付ける。
【００２０】
図５には、剥離用シート２を剥離させたホログラム一体型ＩＣタグラベル１を、物品１６に貼り付けた状態の斜視図が示されている。
図５に示すように、物品１６に貼付されたホログラム一体型ＩＣタグラベル１は、外部から見た場合に、ホログラムシート５に描かれているホログラム画像１７を目視することができる。
図５には、ホログラム画像１７の一例として雪だるまの画像が示されている。
【００２１】
上記のように、本発明の実施形態に係るホログラム一体型ＩＣタグラベル１は、正規のＩＣタグラベルが偽造ラベルに貼りかえられた場合でも、偽造ラベルとして本物と同じホログラム画像を有するホログラム一体型ＩＣタグラベルを作成することが困難であることから、偽造防止を図ることができ、また外部から目視で簡単に不正に貼りかえられたことを確認することができる。
【００２２】
更に、ホログラム一体型ＩＣタグラベル１に設けられた金属層１３により、ホログラム一体型ＩＣタグラベル１を貼付させる物品が金属製である場合でも、金属の影響で通信不能となることを低減化できる。
【図面の簡単な説明】
【００２３】
【図１】本発明の実施形態に係るホログラム一体型ＩＣタグラベルであって、帯状の剥離用シートの上側に複数のＩＣタグラベルが、等間隔で連続して設けられた状態を示す平面図である。
【図２】本発明の実施形態に係るホログラム一体型ＩＣタグラベルの断面図である。
【図３】本発明の実施形態に係るホログラム一体型ＩＣタグラベルのインレットの構成を示す図である。
【図４】ホログラム一体型ＩＣタグラベルを所望の物品に貼付させた場合の断面図である。
【図５】ホログラム一体型ＩＣタグラベルは、剥離用シートを剥離させたホログラム一体型ＩＣタグラベルを、物品に貼り付けた状態の斜視図である。
【符号の説明】
【００２４】
１  ホログラム一体型ＩＣタグラベル
２  剥離用シート
３  プラスチックフィルム
４，１０，１４  粘着剤層
５  ホログラムシート
６  第１のホットメルト接着剤層
７  ベースフィルム
８  第２のホットメルト接着剤層
９  誘電体シート
１１  ＩＣチップ
１２  アンテナコイル
１２ａ，１２ｂ  アンテナコイルの両端部
１３  金属層
１４  導通部材
１５  インレット
１６  物品
１７  ホログラム画像
【図１】
2009301246.tif 000003
【図２】
2009301246.tif 000004
【図３】
2009301246.tif 000005
【図４】
2009301246.tif 000006
【図５】
2009301246.tif 000007